(57)【要約】【課題】簡単な構成で誤配線に加えて誤結線とそのパターンを検査可能な配電線検査システムを提供する。【解決手段】複数の抵抗付加器（１１）と測定器（１３）とを備え、抵抗付加器（１１）は、抵抗値が各抵抗付加器（１１）で異なり一意的な組合せ構成する第１及び第２の抵抗（３７，３９）を有し、測定器（１３）は、３つの電圧印加端子（４９）及び２つの電流センサ（４５）と、電流センサ（４５）により検出された電流の大きさに基づいて電力量計（１０５）に配電線（１０９）を介して接続された抵抗付加器（１１）を識別すると共に配電線（１０９）の誤結線及びそのパターンを判定する演算部（７１）と、演算部（７１）による識別結果及び判定結果を表示する表示部（６７）とを有する。【選択図】図３
2019120532.tif 000002
【特許請求の範囲】
【請求項１】
複数の分電盤と該分電盤毎に設けられた電力量計とをそれぞれ接続する単相３線式の配電線における誤配線及び誤結線を検査するための配電線検査システムであって、
前記分電盤の一次側に接続される複数の抵抗付加器と、
前記電力量計の二次側に接続される測定器と、を備え、
前記抵抗付加器は、互いに異なる前記配電線の間に付加される第１及び第２の抵抗を有し、
前記第１の抵抗と前記第２の抵抗との抵抗値は前記各抵抗付加器で異なり、且つ前記第１及び第２の抵抗における抵抗値の組合せは前記抵抗付加器毎に異なっており、
前記測定器は、前記配電線に所定の電圧を印加する電圧印加端子と、該電圧印加端子による電圧の印加を以て互いに異なる前記配電線に流れる電流の大きさを検出する少なくとも２つの電流センサと、該電流センサにより検出された電流の大きさに基づいて接続先の前記電力量計に前記配電線を介して接続された前記抵抗付加器を識別すると共に前記配電線の誤結線の有無及び誤結線のパターンを判定する演算部と、該演算部による識別結果及び判定結果を表示する表示部と、を有する
ことを特徴とする配電線検査システム。
【請求項２】
請求項１に記載された配電線検査システムにおいて、
前記第１の抵抗と前記第２の抵抗との直列接続による合成抵抗値は、前記各抵抗付加器の前記第１及び第２の抵抗の抵抗値とは異なり、且つ前記抵抗付加器毎に異なっている
ことを特徴とする配電線検査システム。
【請求項３】
請求項１又は２に記載された配電線検査システムにおいて、
前記演算部は、前記各電流センサによって検出された電流の大きさの比率に基づいて、前記測定器の接続先の前記電力量計に前記配電線を介して接続された前記抵抗付加器を識別すると共に、前記配電線の誤結線の有無及び誤結線のパターンを判定する
ことを特徴とする配電線検査システム。
【請求項４】
請求項１〜３のいずれか１項に記載された配電線検査システムにおいて、
前記第１の抵抗には、前記各抵抗付加器で抵抗値の同じ抵抗が用いられ、
前記第２の抵抗には、前記各抵抗付加器で互いに抵抗値の異なる抵抗が用いられている
ことを特徴とする配電線検査システム。
【請求項５】
複数の分電盤と該分電盤毎に設けられた電力量計とをそれぞれ接続するＮ本（Ｎは３以上の整数）の配電線における誤配線及び誤結線を検査するための配電線検査システムであって、
前記分電盤の一次側に接続される複数の抵抗付加器と、
前記電力量計の二次側に接続される測定器と、を備え、
前記抵抗付加器は、互いに異なる前記配電線の間に付加される第１〜第（Ｎ−１）の抵抗を有し、
前記第１〜第（Ｎ−１）の抵抗の抵抗値は前記各抵抗付加器で互いに異なり、且つ前記第１〜第（Ｎ−１）の抵抗における抵抗値の組合せは前記抵抗付加器毎に異なっており、
前記測定器は、前記配電線に電圧を印加する電圧印加端子と、該電圧印加端子による電圧の印加を以て互いに異なる前記配電線に流れる電流の大きさを検出する少なくとも（Ｎ−１）個の電流センサと、該電流センサにより検出された電流の大きさに基づいて接続先の前記電力量計に前記配電線を介して接続された前記抵抗付加器を識別すると共に前記配電線の誤結線の有無及び誤結線のパターンを判定する演算部と、該演算部による識別結果及び判定結果を表示する表示部と、を有する
ことを特徴とする配電線検査システム。
【発明の詳細な説明】
【技術分野】
【０００１】
本開示は、マンションやアパートといった集合住宅やテナントビルなどの複数室を構える建物に敷設された配電線の誤配線及び誤結線を検査するのに用いられる配電線検査システムに関する。
【背景技術】
【０００２】
集合住宅などの建物では、室数（住戸数）に応じた複数の電力量計が同一の計器盤に収納した状態で一箇所に設置されていることが多い。このような電力量計の集中管理を行う場合には、室毎に設けられた分電盤と電力量計とを接続する配電線を建物に張り巡らす必要があり、その配電線の引き回しが長くなることから配電線を誤って配線してしまうことがある。配電線が誤って配線されると、電力量計が対応すべき室の電力量と他の室の電力量とを取り違えて計測することになるため、電力の使用料金に誤った課金が発生する。
【０００３】
そこで、このような誤った課金が発生しないようにするために、配電線の誤配線を検査するシステムが提案されている。
【０００４】
例えば、特許文献１には、発信器及び受信器を備えた配線経路点検システムが開示されている。この配線経路点検システムでは、発信器が、住居内に設置されたコンセントに接続されると、商用電源からの電流を利用して配電線に点検信号を流すようになっており、受信器が、電力量計の負荷側に接続され、配電線に流れる電流から点検信号を検出してその点検信号が表すコードをディスプレイに表示するようになっている。こうした配線経路点検システムによれば、作業者は、受信器のディスプレイに表示されたコードを確認することにより、検査対象とする電力量計の配電線がいずれの住居に配線されているかをチェックすることができる。
【先行技術文献】
【特許文献】
【０００５】
【特許文献１】特開２０１０−００２２４３号公報
【発明の概要】
【発明が解決しようとする課題】
【０００６】
ところで、電力計と分電盤とに配電線を接続する際には、人為的過誤により誤って結線されることもある。例えば、電力計と分電盤とを接続する配電線に単相３線式の配電線を用いる場合には、電力計及び分電盤の片側で、第１の電圧線又は第２の電圧線と中性線とが逆に接続されたり、第１の電圧線と第２の電圧線とが逆に接続されたりするといった複数のパターンで誤結線（配電線端子の接続誤り）が生じ得る。配電線が誤って結線されると、電力量計が使用された電力量と異なる値を計測することになるため、電力の使用料金に誤った課金が発生する。
【０００７】
特許文献１の配線経路点検システムでは、電力量計の配電線がいずれの住戸に配線されたものであるかに加え、上述したような誤結線の有無をチェックすることはできるが、誤結線がどのようなパターンであるかまでは検査できない。また、当該配線経路点検システムは、配電線を通じて発信器と受信器との間で文字列コードをやり取りする通信技術を採用しており、発信器及び受信器の装置構成が複雑であって、システム自体が高価である。
【０００８】
本開示の技術は、斯かる点に鑑みてなされたものであり、その目的とするところは、簡単な構成で誤配線に加えて誤結線とそのパターンを検査可能な配電線検査システムを提供することにある。
【課題を解決するための手段】
【０００９】
上記の目的を達成するために、本開示の技術では、一意的（ユニーク）な抵抗値の組合せを構成する複数の抵抗を分電盤の一次側に付加し、それら各抵抗の抵抗値に応じた大きさの電流を、配電線を介して電力量計の二次側で検出して、配電線に流れる電流の大きさの組合せから配電線の誤配線及び誤結線を検査できるようにした。
【００１０】
具体的には、本開示の技術は、複数の分電盤と分電盤毎に設けられた電力量計とをそれぞれ接続する単相３線式の配電線における誤配線及び誤結線を検査するための配電線検査システムを対象とする。
【００１１】
本開示の技術に係る配電線検査システムは、分電盤の一次側に接続される複数の抵抗付加器と、電力量計の二次側に接続される測定器とを備える。抵抗付加器は、互いに異なる配電線の間に付加される第１及び第２の抵抗を有する。第１の抵抗と第２の抵抗との抵抗値は各抵抗付加器で異なり、且つ第１及び第２の抵抗における抵抗値の組合せは抵抗付加器毎に異なっている。そして、測定器は、配電線に所定の電圧を印加する電圧印加端子と、電圧印加端子による電圧の印加を以て互いに異なる配電線に流れる電流の大きさを検出する少なくとも２つの電流センサと、それら電流センサにより検出された電流の大きさに基づいて接続先の電力量計に配電線を介して接続された抵抗付加器を識別すると共に配電線の誤結線の有無及び誤結線のパターンとを判定する演算部と、その演算部による判定結果を表示する表示部とを有する。
【００１２】
この構成では、配電線検査システムは、複数の抵抗付加器と、測定器とを備える。抵抗付加器は、分電盤の一次側に接続されたときに、互いに異なる配電線の間に第１及び第２の抵抗を付加するようになっている。これら第１及び第２の抵抗は、３本の配電線と共に回路を形成する。第１及び第２の抵抗の抵抗値は、互いに異なり、且つ抵抗付加器毎にも異なっていて一意的な組合せを構成する。この抵抗付加器は、検査対象とする配電線が接続された各分電盤に関連させて設置される。
【００１３】
他方、測定器は、配電線に電圧を印加する電圧印加端子と、配電線に流れる電流を検出する少なくとも２つの電流センサと、抵抗付加器の識別と誤結線の判定とを行う演算部と、識別結果及び判定結果を表示する表示部とを有する。電流センサは、抵抗付加器が分電盤の一次側に接続された状態で、配電線における電圧印加端子の接続箇所よりも分電盤側に取り付けられると、電圧印加端子による電圧の印加を以て３本の配電線と第１及び第２の抵抗を含めた回路に流れる電流の大きさを検出する。電流センサにより検出される電流の大きさは、抵抗付加器によって配電線の間に付加された抵抗の抵抗値に応じて変わる。
【００１４】
演算部は、第１及び第２の抵抗の抵抗値が一意的な組合せを構成することから、抵抗付加器毎に電流センサによって検出される電流が変わることを利用し、電流センサにより検出された電流に基づいて、電流センサを取り付けた配電線の接続先の分電盤にある抵抗付加器を識別する。このとき、配電線が正しく配線されていれば、当該配電線が接続されているべき分電盤に関連させて設置した抵抗付加器が識別されるが、配電線が誤って配線されていると、当該配電線が接続されているはずの分電盤に関連させて設置した抵抗付加器とは別の抵抗付加器が識別される。よって、作業者は、表示部に表示された識別結果に基づき、識別された抵抗付加器がいずれの分電盤に関連させて設置されたものであるかを確認することにより、配電線が誤配線されているかどうかをチェックすることができる。
【００１５】
また、演算部は、第１の抵抗と第２の抵抗との抵抗値が互いに異なっていることから、配電線の間に付加された抵抗が第１の抵抗であるか、第２の抵抗であるか、互いに直列接続された第１の抵抗及び第２の抵抗であるかによって電流センサで検出される電流の大きさが変わることを利用し、電流センサにより検出された電流に基づいて、電流センサを取り付けた配電線の接続先の分電盤での誤結線の有無と誤結線のパターンとを判定する。このとき、配電線が正しく結線されていれば、いずれの配電線に取り付けた電流センサでも配電線に対する第１の抵抗及び第２の抵抗の正しい接続関係に応じた大きさの電流が検出されるが、配電線が誤って結線されていると、第１の抵抗が付加されているはずの配電線の間に第２の抵抗や直列接続された第１の抵抗及び第２の抵抗が付加されたり、第２の抵抗が付加されているはずの配電線の間に第１の抵抗や直列接続された第１の抵抗及び第２の抵抗が付加されたりするため、少なくとも１つの電流センサで配電線が正しく結線されている場合とは異なる大きさの電流が検出される。配電線の誤結線がある場合に電流センサにより検出される電流の大きさの組合せは誤結線のパターンによって異なるから、演算部は、電流センサにより検出された電流の大きさの組合せに応じて誤結線のパターンを判定することができる。よって、作業者は、表示部に表示された判定結果を確認することにより、誤結線の有無を確認し、誤結線がある場合には誤結線のパターンまでもチェックすることができる。
【００１６】
こうした配電線検査システムにおいて、第１の抵抗と第２の抵抗との直列接続による合成抵抗値は、各抵抗付加器の第１及び第２の抵抗の抵抗値とは異なり、且つ抵抗付加器毎に異なっていることが好ましい。
【００１７】
この構成によると、各抵抗付加器の第１の抵抗と第２の抵抗との合成抵抗値を、各抵抗付加器の第１の抵抗とも第２の抵抗とも異ならせ、抵抗付加器毎に一意的な値とするようにしたから、配電線が誤結線されていて、第１の抵抗又は第２の抵抗が付加されているはずの配電線の間に直列接続された第１の抵抗及び第２の抵抗が付加されてその合成抵抗値に応じた大きさの電流が流れる場合に、電流センサにより検出される電流の大きさを、配電線が正しく結線されている場合に電流センサにより検出される電流の大きさと区別できる。それにより、配電線の誤配線及び誤結線を詳しく検査することができ、誤配線がある場合にはその配線がどのように誤っているのかを、また、誤結線がある場合にはその配電線の接続がどのように誤っているのかをそれぞれ網羅的にチェックすることができる。
【００１８】
また、演算部は、各電流センサによって検出された電流の大きさの比率に基づいて、測定器の接続先の電力量計に配電線を介して接続された抵抗付加器を識別すると共に、配電線の誤結線の有無及び誤結線のパターンを判定することが好ましい。
【００１９】
抵抗付加器が分電盤の一次側に接続された状態で電圧印加端子により電圧を印加したときに配電線を流れる電流の大きさには、第１及び第２の抵抗の抵抗値だけでなく、配電線自体の抵抗値も影響する。ゆえに、電流センサによって検出される電流の大きさは、配電線自体の抵抗値の影響を受けてばらつく。上記の構成では、各電流センサによって検出された電流の大きさの比率に基づいて抵抗付加器の識別と配電線の誤結線の判定とを行うようにしたから、これら抵抗付加器の識別と配電線の誤結線の判定とに配電線自体の抵抗値が反映されるのを抑えることができ、当該識別及び判定を精度良く行うことができる。
【００２０】
第１の抵抗には、各抵抗付加器で抵抗値の同じ抵抗が用いられ、第２の抵抗には、各抵抗付加器で互いに抵抗値の異なる抵抗が用いられていることが好ましい。
【００２１】
この構成によると、各抵抗付加器において第１の抵抗を同じ抵抗値とし、第２の抵抗の抵抗値のみを異ならせるようにしたから、各抵抗付加器の第２の抵抗の抵抗値を第１の抵抗の抵抗値とは異なる値で抵抗付加器の数だけバリエーションを持たせることにより、各抵抗付加器における第１の抵抗及び第２の抵抗の抵抗値を比較的簡単に設定することができる。
【００２２】
また、本開示の技術は、複数の分電盤と分電盤毎に設けられた電力量計とをそれぞれ接続するＮ本（Ｎは３以上の整数）の配電線における誤配線及び誤結線を検査するための配電線検査システムをも対象とする。
【００２３】
本開示の技術に係る配電線検査システムは、分電盤の一次側に接続される複数の抵抗付加器と、電力量計の二次側に接続される測定器とを備える。抵抗付加器は、互いに異なる前記配電線の間に付加される第１〜第（Ｎ−１）の抵抗を有する。第１〜第（Ｎ−１）の抵抗は各抵抗付加器で抵抗値が互いに異なり、且つ第１〜第（Ｎ−１）の抵抗における抵抗値の組合せは抵抗付加器毎に異なっている。そして、測定器は、配電線に電圧を印加する電圧印加端子と、その電圧印加端子による電圧の印加を以て互いに異なる配電線に流れる電流の大きさを検出する少なくとも（Ｎ−１）個の電流センサと、その電流センサによって検出された電流の大きさに基づいて接続先の電力量計に配電線を介して接続された抵抗付加器と誤結線の有無及びパターンとを判定する演算部と、その演算部による判定結果を表示する表示部とを有する。
【００２４】
この構成では、配電線検査システムは、複数の抵抗付加器と、測定器とを備える。抵抗付加器は、分電盤の一次側に接続されたときに、互いに異なる配電線の間に第１〜第（Ｎ−１）の抵抗を付加するようになっている。これら第１〜第（Ｎ−１）の抵抗は、複数本の配電線と共に回路を形成する。第１〜第（Ｎ−１）の抵抗の抵抗値は、互いに異なり、且つ抵抗付加器毎にも異なっていて一意的な組合せを構成する。この抵抗付加器は、検査対象とする配電線が接続された各分電盤に関連させて設置される。
【００２５】
他方、測定器は、配電線に電圧を印加する電圧印加端子と、配電線に流れる電流を検出する少なくとも（Ｎ−１）個の電流センサと、抵抗付加器の識別と誤結線の判定とを行う演算部と、識別結果及び判定結果を表示する表示部とを有する。電流センサは、抵抗付加器が分電盤の一次側に接続された状態で、配電線における電圧印加端子の接続箇所よりも分電盤側に取り付けられると、電圧印加端子による電圧の印加を以て複数本の配電線と第１〜第（Ｎ−１）の抵抗を含めた回路に流れる電流を検出する。電流センサにより検出される電流は、抵抗付加器によって配電線の間に付加された抵抗の抵抗値に応じて変わる。
【００２６】
演算部は、第１〜第（Ｎ−１）の抵抗の抵抗値が一意的な組合せを構成することから、抵抗付加器毎に電流センサによって検出される電流が変わることを利用し、電流センサにより検出された電流に基づいて、電流センサを取り付けた配電線の接続先の分電盤にある抵抗付加器を識別する。このとき、配電線が正しく配線されていれば、当該配電線が接続されているべき分電盤に関連させて設置した抵抗付加器が識別されるが、配電線が誤って配線されていると、当該配電線が接続されているはずの分電盤に関連させて設置した抵抗付加器とは別の抵抗付加器が識別される。よって、作業者は、表示部に表示された識別結果に基づき、識別された抵抗付加器がいずれの分電盤に関連させて設置されたものであるかを確認することにより、配電線が誤配線されているかどうかをチェックすることができる。
【００２７】
また、演算部は、第１の抵抗〜第（Ｎ−１）の抵抗との抵抗値が互いに異なっていることから、配電線の間に付加された抵抗が第１の抵抗であるか、第２の抵抗であるか、互いに直列接続された第１の抵抗及び第２の抵抗であるかによって電流センサで検出される電流が変わることを利用し、電流センサにより検出された電流に基づいて、電流センサを取り付けた配電線の接続先の分電盤での誤結線の有無と誤結線のパターンとを判定する。このとき、配電線が正しく結線されていれば、いずれの配電線に取り付けた電流センサでも配電線に対する第１〜第（Ｎ−１）の抵抗の正しい接続関係に応じた大きさの電流が検出されるが、配電線が誤って結線されていると、第１〜第（Ｎ−１）の抵抗が付加されているはずの配電線の間に第１〜第（Ｎ−１）の抵抗のうち対応する抵抗とは異なる抵抗や直列接続された幾つかの抵抗が付加されるため、少なくとも１つの電流センサで配電線が正しく結線されている場合とは異なる大きさの電流が検出される。配電線の誤結線がある場合に電流センサにより検出される電流の大きさの組合せは誤結線のパターンによって異なるから、演算部は、電流センサにより検出された電流の大きさの組合せに応じて誤結線のパターンを判定することができる。よって、作業者は、表示部に表示された判定結果を確認することにより、誤結線の有無を確認し、誤結線がある場合には誤結線のパターンまでもチェックすることができる。
【発明の効果】
【００２８】
上記の配電線検査システムによれば、簡単な構成で誤配線に加えて誤結線の有無を検査でき、さらに誤結線がある場合にはその誤結線のパターンをも検査することができる。それにより、一人あるいは少人数の作業者でも配電線の誤配線及び誤結線を併せて効率的に検査することができ、検査で見つかった誤結線や誤配線を、表示部に表示された識別結果及び判定結果に基づいて迅速且つ確実に正すことができる。
【図面の簡単な説明】
【００２９】
【図１】集合住宅の配線系統を示す概念図である。
【図２】集合計器盤の電力量計と各住戸の分電盤との配線関係を示す概念図である。
【図３】電力量計と分電盤との結線関係を示す概念図である。
【図４】配電線検査システムの構成を示す概略図である。
【図５】配電線検査システムを構成する抵抗付加器の構成を示す図である。
【図６】抵抗付加器が有する抵抗回路を示す図である。
【図７】配電線検査システムを構成する測定器の構成を示す図である。
【図８】測定器の構成要素を概略的に示すブロック図である。
【図９】配電線検査システムを用いて配電線の検査を行う様子を集合計器盤の電力計と各住戸の分電盤との配線関係（１０１号室、１０２号室に誤配線あり）において示す概念図である。
【図１０】配電線検査システムを用いて配電線の検査を行う様子を集合計器盤の電力計と各住戸の分電盤との配線関係（１０２号室、１０３号室に誤配線あり）において示す概念図である。
【図１１】配電線検査システムを用いて配電線の検査を行う様子を電力計と分電盤との結線関係（正常）において示す概念図である。
【図１２】配電線検査システムを用いて配電線の検査を行う様子を電力計と分電盤との結線関係（第１の電圧極と中性極との誤結線あり）において示す概念図である。
【図１３】配電線検査システムを用いて配電線の検査を行う様子を電力計と分電盤との結線関係（第１の電圧極と第２の電圧極との誤結線あり）において示す概念図である。
【図１４】配電線検査システムを用いて配電線の検査を行う様子を電力計と分電盤との結線関係（中性極と第２の電圧極との誤結線あり）において示す概念図である。
【図１５】配電線検査システムを用いて配電線の検査を行う様子を電力計と分電盤との結線関係（３つの電圧極ともに誤結線あり）において示す概念図である。
【図１６】配電線検査システムを用いて配電線の検査を行う様子を電力計と分電盤との結線関係（３つの電圧極ともに誤結線あり）において示す概念図である。
【発明を実施するための形態】
【００３０】
以下、例示的な実施形態を図面に基づいて詳細に説明する。
【００３１】
この実施形態に係る配電線検査システムは、マンションやアパートといった集合住宅やテナントビルなどの複数室を構える建物に敷設された配電線の誤配線及び誤結線を検査するのに用いられる。以下では、当該配電線検査システムについて、集合住宅の配電線の検査に用いる場合を例に挙げて説明する。
【００３２】
図１に、集合住宅１００の配電系統１１１の概念図を示す。図２に、集合計器盤１０３の電力量計１０５と各住戸１０１の分電盤１０３との配線関係の概念図を示す。また、図３に、電力量計１０５と分電盤１０３との結線関係の概念図を示す。なお、図１及び図２では、３本の配電線１０９を一本のラインで省略して表している。
【００３３】
集合住宅１００においては、図１に示すように、複数の住戸１０１が存在しており、各住戸１０１に分電盤１０３が設置されている。また、各住戸１０１で消費した電力を積算して計量する電力量計１０５（住戸数に応じた複数の電力量計１０５）が、同一の集合計器盤１０７に収納した状態で一箇所に設置されている。
【００３４】
集合計器盤１０７内の各電力量計１０５と対応する住戸１０１の分電盤１０３とは、図２に示すように、建物に敷設された配電線１０９によって一対一の関係で接続されている。集合住宅１００の配電系統１１１には、配電線１０９を３本用いる単相三線式の配電方式が採用されている。各電力量計１０５は、図示しない電気室やハンドホールに設置された変圧器を介するなどして、或いは引込線１１３を通じて直接に電力系統１１５と接続されている。
【００３５】
電力系統１１５は、電力事業者が需用者に電力を供給する、単相三線式に対応した交流電力システムである。電力系統１１５から引込線１１３を通じて集合住宅１００に引き込んだ電力は、各電力量計１０５を経由した後に各住戸１０１の分電盤１０３に供給される。分電盤１０３は、単相三線式に対応する回路設備であって、図示しないが配線用遮断器や漏電遮断器などの各種ブレーカを収容し、電力系統１１５から供給された電力を住戸１０１内に敷設された分岐線を介して電気機器などの負荷に分配するように構成されている。
【００３６】
配電線１０９は、それぞれ非接地の第１の電圧線１２１及び第２の電圧線１２３と、接地された中性線１２５との３本である。以下では、第１の電圧線１２１、第２の電圧線１２３及び中性線１２５を区別しない場合、配電線１０９と称する。図３に示すように、第１の電圧線１２１、第２の電圧線１２３及び中性線１２５の一端は、電力量計１０５の二次側にそれぞれ接続されており、第１の電圧線１２１、第２の電圧線１２３及び中性線１２５の他端は、分電盤１０３の一次側にそれぞれ接続されている。
【００３７】
第１の電圧線１２１は、電力量計１０５における第１の電圧極（Ｌ１）の端子１２７と分電盤１０３における第１の電圧極（Ｌ１）の端子１２９とを電気的に接続する。中性線１２５は、電力量計１０５における中性極（Ｎ）の端子１３１と、分電盤１０３における中性極（Ｎ）の端子１３３とを電気的に接続する。第２の電圧線１２３は、電力量計１０５における第２の電圧極（Ｌ２）の端子１３５と分電盤１０３における第２の電圧極（Ｌ２）の端子１３７とを電気的に接続する。
【００３８】
電力量計１０５及び分電盤１０３の端子には、それぞれ対応する電圧極毎に識別表示がされている。識別表示としては、色分け表示や記号表示などが用いられる。色分け表示では、例えば、第１の電圧極の端子１２７，１２９に赤色マークが付され、中性極の端子１３１，１３３に白色マークが付され、第２の電圧極の端子１３５，１３７に黒色マークが付される。記号表示では、例えば、第１の電圧極の端子１２７，１２９に番号「１」が付され、中性極の端子１３１，１３３に番号「２」が付され、第２の電圧極の端子１３５，１３７に番号「３」が付される。
【００３９】
こうした端子１２７〜１３７の識別表示に対し、第１の電圧線１２１、第２の電圧線１２３及び中性線１２５は色分けされている。具体的には、第１の電圧線１２１は、赤色の絶縁体に被覆されてなる。第２の電圧線１２３は、黒色の絶縁体に被覆されてなる。中性線１２５は、白色の絶縁体に被覆されてなる。そのことで、第１の電圧線１２１、第２の電圧線１２３及び中性線１２５とこれら配電線１０９を接続すべき電圧極の端子１２７〜１３７との対応関係が視覚的に分かるようになっている。
【００４０】
配電線１０９が正しく結線されている場合、中性線１２５の対地電圧は０Ｖであり、第１の電圧極（Ｌ１）と中性極（Ｎ）との間と、第２の電圧極（Ｌ２）と中性極（Ｎ）との間とには、１００Ｖの交流電圧がそれぞれ発生する。第１の電圧極（Ｌ１）と中性極（Ｎ）との間の電圧と、第２の電圧極（Ｌ２）と中性極（Ｎ）との間の電圧とは、逆位相の電圧である。よって、第１の電圧極（Ｌ１）と第２の電圧極（Ｌ２）との間には２００Ｖの交流電圧が発生する。
【００４１】
すなわち、配電系統１１１は、配電線１０９の組合せによって互いに異なる３つの相を形成する。第１の相は、第１の電圧極（Ｌ１）と中性極（Ｎ）との組合せからなる１００Ｖの相（Ｌ１−Ｎ相）である。第２の相は、第２の電圧極（Ｌ２）と中性極（Ｎ）との組合せからなる第１の相とは逆位相の１００Ｖの相（Ｌ２−Ｎ相）である。第３の相は、第１の電圧極（Ｌ１）と第２の電圧極（Ｌ２）との組合せからなる２００Ｖの相（Ｌ１−Ｌ２相）である。
【００４２】
配電線１０９は、敷設作業における人為的過誤により、配電線１０９が予定している住戸１０１とは別の住戸１０１の分電盤１０３に誤って配線されたり、誤った電圧極の端子１２７〜１３７に結線されたりすることが起こり得る。配電線１０９が誤配線や誤結線されたままになると、対応する電力量計１０５が使用された電力量と異なる値を計測することになるため、電力の使用料金に誤った課金が発生する。しかも、配電線１０９の誤配線や誤結線は発見されるまでの期間が長期化しやいため、保証金額が多額になる傾向にある。
【００４３】
この実施形態に係る配電線検査システム１０は、そうした電気料金の誤った課金を防止すべく、集合住宅１００の竣工後において、配電線１０９の誤配線および誤結線を検査するためのシステムである。
【００４４】
以下に、この配電線検査システム１０の構成を、図４〜図８を参照しながらそれぞれ説明する。図４は、配電線検査システム１０の概略構成図である。図５は、抵抗付加器１１の概略構成図である。図６は、抵抗付加器１１が有する抵抗回路２９の回路図である。図７は、測定器１３の概略構成図である。図８は、測定器１３の構成要素のブロック図である。なお、図４では、複数の抵抗付加器１１について１つを除いて小型に簡略化して示している。
【００４５】
配電線検査システム１０は、図４に示すように、複数の抵抗付加器１１と、測定器１３とを備える。この実施形態では、抵抗付加器１１を２５個備える態様を例に挙げて説明する。各抵抗付加器１１には、「００１」〜「０２５」の識別番号（図４で各抵抗付加器１１の下側に示す）が表記されている。
【００４６】
抵抗付加器１１は、分電盤１０３の一次側に接続される機能モジュールである。この抵抗付加器１１は、図５に示すように、機器本体１５と、機器本体１５に設けられた３つのリードアタッチメント１７とを備える。リードアタッチメント１７は、機器本体１５から延びるケーブル１９と、ケーブル１９の先端に設けられたアリゲータークリップ式（ワニ口クリップ式）の接続端子２１とによって構成されている。
【００４７】
３つのリードアタッチメント１７は、分電盤１０３において、第１の電圧極（Ｌ１）の端子１２９に接続される第１のリードアタッチメント２３と、中性極（Ｎ）の端子１３３に接続される第２のリードアタッチメント２５と、第２の電圧極（Ｌ２）の端子１３７に接続される第３のリードアタッチメント２７とである。これら第１〜第３のリードアタッチメント２３，２５，２７は、ケーブル１９や接続端子２１のカバー部分が対応する電圧極に応じた色で色分けされており、接続すべき電圧極の端子１２９，１３３，１３７との対応関係が視覚的に分かるようになっている。
【００４８】
機器本体１５には、抵抗回路２９が内蔵されている。抵抗回路２９は、図６にも示すように、第１のリードアタッチメント２３のケーブル１９に繋がる第１の配線３１と、第２のリードアタッチメント２５のケーブル１９に繋がる第２の配線３３と、第３のリードアタッチメント２７のケーブル１９に繋がる第３の配線３５と、第１の配線３１の終端と第２の配線３３の終端との間に設けられた第１の抵抗３７と、第２の配線３３と第３の配線３５との間に設けられた第２の抵抗３９とを有する。
【００４９】
抵抗付加器１１が分電盤１０３の一次側に接続されると、第１の配線３１は、分電盤１０３における第１の電圧極（Ｌ１）の端子１２９を介してその端子１２９と繋げられた配電線１０９に電気的に接続される。第２の配線３３は、分電盤１０３における中性極（Ｎ）の端子１３３を介してその端子１３３と繋げられた配電線１０９に電気的に接続される。第３の配線３５は、分電盤１０３における第２の電圧極（Ｌ２）の端子１３７を介してその端子１３７と繋げられた配電線１０９に電気的に接続される。
【００５０】
そして、第１の抵抗３７は、第１の電圧極（Ｌ１）の端子１２９に繋げられた配電線１０９と中性極（Ｎ）の端子１３３に繋げられた配電線１０９との間に付加される。また、第２の抵抗３９は、中性極（Ｎ）の端子１３３に繋げられた配電線１０９と第２の電圧極（Ｌ２）の端子１３７に繋げられた配電線１０９との間に付加される。このように、抵抗付加器１１は、配電線１０９同士を第１の抵抗３７及び第２の抵抗３９を介して接続することで、配電線１０９検査用の回路を形成する。
【００５１】
第１の抵抗３７と第２の抵抗３９との抵抗値は、各抵抗付加器１１で異なっている。そして、これら第１の抵抗３７及び第２の抵抗３９における抵抗値の組合せは、抵抗付加器１１毎に異なっていて、一意的（ユニーク）な抵抗値の組合せを構成するように設定されている。また、第１の抵抗３７と第２の抵抗３９との直列接続による合成抵抗値は、各抵抗付加器１１の第１の抵抗３７及び第２の抵抗３９の抵抗値とは異なり、且つ抵抗付加器１１毎に異なっている。
【００５２】
この実施形態では、第１の抵抗３７として、各抵抗付加器１１で抵抗値の同じ抵抗が用いられている。そして、第２の抵抗３９には、各抵抗付加器１１で互いに異なる抵抗値の抵抗が用いられている。これら第１の抵抗３７及び第２の抵抗３９の抵抗値は、例えば１００Ω〜１００００Ωの範囲内で設定される。
【００５３】
第１の抵抗３７の抵抗値は、全ての抵抗付加器１１における第２の抵抗３９の中間程度の大きさに設定される。この実施形態における第１の抵抗３７の抵抗値は、例えば、１２番目に大きな第２の抵抗３９の抵抗値と１３番目に大きな第２の抵抗３９の抵抗値との間の大きさか、或いは１３番目に大きな第２の抵抗３９の抵抗値と１４番目に大きな第２の抵抗３９の抵抗値との間の大きさに設定される。
【００５４】
第２の抵抗３９の抵抗値は、第１の抵抗３７の抵抗値と１００Ω以上の差があるように、好ましくは１５０Ω以上の差があるように、さらに好ましくは２００Ω以上の差があるように設定される。そして、第２の抵抗３９の抵抗値は、第２の抵抗３９同士の抵抗値の間にも１００Ω以上の差があるように、好ましく１５０Ω以上の差があるように、さらに好ましくは２００Ω以上の差があるように設定される。
【００５５】
測定器１３は、電力量計１０５の二次側に接続される機能モジュールである。この測定器１３は、電池駆動式に構成されており、図７に示すように、機器本体４１と、機器本体４１に設けられた電圧印加用の３つのリードアタッチメント４３と、２つの電流センサ４５とを備える。リードアタッチメント４３は、配電線１０９に電圧を印加するためのものであり、機器本体４１から延びるケーブル４７と、ケーブル４７の先端に設けられたアリゲータークリップ式（ワニ口クリップ式）の電圧印加端子（ＶＡ端子）４９とによって構成されている。
【００５６】
３つのリードアタッチメント４３は、電力量計１０５において、第１の電圧極（Ｌ１）の端子１２７に接続される第１のリードアタッチメント５１と、中性極（Ｎ）の端子１３３に接続される第２のリードアタッチメント５３と、第２の電圧極（Ｌ２）の端子１３５に接続される第３のリードアタッチメント５５とである。これら第１〜第３のリードアタッチメント５１，５３，５５は、ケーブル４７や電圧印加端子４９のカバー部分が対応する電圧極に応じた色で色分けされており、接続すべき電圧極の端子１２７，１３１，１３５との対応関係が視覚的に分かるようになっている。
【００５７】
電流センサ４５としては、ＣＴ（Current Transformer）センサと呼ばれる電磁誘導方式の電流センサが用いられる。この電流センサ４５は、機器本体４１に接続されたケーブル５７と、ケーブル５７の先端に設けられたセンサ本体５９とによって構成されている。センサ本体５９は、ワンタッチクランプ型（クリップ式）の構造を有し、磁性体コア及び検出コイルなどからなる回路を収容する回路収納部６１と、回路収納部６１に対し一端を軸にして回動可能に取り付けられた蓋部６３とからなり、回路収納部６１と蓋部６３との間に形成される中空部６５に通した配電線１０９に流れる電流を検出するようになっている。
【００５８】
機器本体４１は、液晶ディスプレイなどからなる表示部６７と、電源スイッチ６９及び測定スイッチ７１とを前面に備える。また、図示しないが、機器本体４１の前面には、電源のＯＮ／ＯＦＦ状態を示すＬＥＤ（Light Emitting Diode）からなる電源インジケータなどの状態表示ランプも設けられている。さらに、機器本体４１は、図８に示すように、ＣＰＵ（Central Processing Unit）からなる演算部７３と、演算部７３に電気的に接続されたＥＥＰＲＯＭ（Electrically Erasable Programmable Read-Only Memory）などからなるメモリ７５と、リードアタッチメント４３に電気的に接続された電圧供給部７７と、交換可能な駆動用の電池７９とを内蔵している。
【００５９】
メモリ７５には、各電流センサ４５により検出された電流に基づいて配電線１０９の間の抵抗値、つまり第１の電圧線１２３と中性線１２５との間の抵抗値と中性線１２５と第２の電圧線１２７との間の抵抗値とを算出するプログラムが格納されている。演算部７３には、メモリ７５の他、表示部６７、測定スイッチ７１、状態表示ランプ及び電圧供給部７７も電気的に接続されている。
【００６０】
電圧供給部７７は、第１〜第３のリードアタッチメント５１，５３，５５に所定の電位を付与して、予め設定された規定電圧を各配電線１０９に印加する。例えば、第１のリードアタッチメント５１には＋１０Ｖ程度の電位が付与され、第２のリードアタッチメント５３には０Ｖの電位が付与され、第３のリードアタッチメント５５には−１０Ｖ程度の電位が付与され、規定電圧として、第１の電圧線１２３と中性線１２５との間、及び中性線と第２の電圧線１２７との間に、それぞれ１０Ｖの直流電圧が印加される。
【００６１】
演算部７３は、測定スイッチ７１が押下（ＯＮ）されると、電圧供給部７７に各配電線１０９への電圧印加を行わせ、メモリ７５から読み出したプログラムに従って、配電線１０９の間の抵抗値（第１の電圧線１２３と中性線１２５との間の抵抗値と中性線１２５と第２の電圧線１２７との間の抵抗値）を算出する抵抗値算出処理を実行する。以下では、便宜上、第１の電圧線１２３と中性線１２５との間の抵抗値を「Ｌ１−Ｎ間抵抗値」と称し、中性線１２５と第２の電圧線１２７との間の抵抗値を「Ｎ−Ｌ２間抵抗値」と称する。
【００６２】
抵抗値算出処理では、測定器１３の第１〜第３のリードアタッチメント５１，５３，５５を接続した電力量計１０５と正常に敷設された配電線１０９を介して繋がっている分電盤１０３に抵抗付加器１１が設置されている場合、Ｌ１−Ｎ間抵抗値として第１の抵抗３７に相当する抵抗値が算出され、Ｎ−Ｌ２間抵抗値として第２の抵抗３９に相当する抵抗値が算出される。演算部７３は、これらＬ１−Ｎ間抵抗値及びＮ−Ｌ２間抵抗値を、各電流センサ４５によって検出された電流の比率に基づいて算出する。それにより、Ｌ１−Ｎ間抵抗値及びＮ−Ｌ２間抵抗値の算出に配電線１０９自体の抵抗値が反映されるのを抑え、抵抗付加器１１の分電盤１０３への接続によって第１の電圧線１２３と中性線１２５との間及び中性線１２５と第２の電圧線１２７との間にそれぞれ付加された抵抗の抵抗値を精度良く算出するようになっている。
【００６３】
さらに、演算部７３は、算出した２つの抵抗値（Ｌ１−Ｎ間抵抗値及びＮ−Ｌ２間抵抗値）に基づいて、検査対象とする電力量計１０５に配電線１０９を介して接続された抵抗付加器１１を識別する。抵抗付加器１１が有する第１の抵抗３７及び第２の抵抗３９の抵抗値は一意的な組合せを構成し、これら第１の抵抗３７と第２の抵抗３９との直列接続による合成抵抗値はいずれの抵抗付加器１１における第１の抵抗３７の抵抗値とも第２の抵抗３９の抵抗値とも異なり、且つ抵抗付加器１１毎に異なっているから、Ｌ１−Ｎ間抵抗値及びＮ−Ｌ２間抵抗値が分かれば、それら２つの抵抗値に対応する抵抗付加器１１を特定することができる。
【００６４】
このとき、配電線１０９が正しく配線されていれば、当該配電線１０９が接続されているべき分電盤１０３に関連させて設置した抵抗付加器１１が識別される。一方で、配電線１０９が誤って配線されていると、当該配電線１０９が接続されているはずの分電盤１０３に関連させて設置した抵抗付加器１１とは別の抵抗付加器１１が識別される。
【００６５】
また、演算部７３は、算出した２つの抵抗値に基づいて、検査対象とする電力量計１０５に接続された配電線１０９の分電盤１０３での誤結線の有無及び誤結線のパターンを判定する。第１の抵抗３７と第２の抵抗３９との抵抗値は互いに異なっているから、Ｌ１−Ｎ間抵抗値及びＮ−Ｌ２間抵抗値が分かれば、それら２つの抵抗値の違い（異なり方）に応じて誤結線があるかどうかを判定すると共に、誤結線がある場合には、その誤結線のパターンを特定することができる。
【００６６】
このとき、配電線１０９が正しく結線されていれば、第１の抵抗３７が付加されているべき第１の電圧線１２１と中性線１２３との間にＬ１−Ｎ間抵抗値として第１の抵抗３７の抵抗値が測定され、且つ第２の抵抗３９が付加されているべき中性線１２３と第２の電圧線１２５との間にＮ−Ｌ２間抵抗値として第２の抵抗３９の抵抗値が測定される。一方で、配電線１０９が誤って結線されていると、第１の抵抗３７が付加されているはずの第１の電圧線１２１と中性線１２３との間にＬ１−Ｎ間抵抗値として第１の抵抗３７とは異なる抵抗の抵抗値が測定されたり、第２の抵抗３９が付加されているはずの中性線１２３と第２の電圧線１２５との間にＮ−Ｌ２間抵抗値として第２の抵抗３９とは異なる抵抗の抵抗値が測定されたりする。
【００６７】
そして、演算部７３は、上述した抵抗付加器１１の識別結果と誤結線の判定結果とを表示部６７に出力する。表示部６７は、演算部７３による識別結果及び判定結果として、抵抗付加器１１の識別番号「００１」〜「０２５」と、誤結線の有無及び誤結線のパターンとを表示する。ここで、単相３線式の誤結線には５つのパターンがあるので、誤結線の有無及び誤結線のパターンの表示としては、例えば次のような表示が考えられる。
【００６８】
誤結線がない場合には「正常」と表示する。第１の電圧線１２１と中性線１２３とが誤結線により逆に接続されている場合には「Ｌ１−Ｎ逆接続」と表示する。第１の電圧線１２１と第２の電圧線１２５とが誤結線により逆に接続されている場合には「Ｌ１−Ｌ２逆接続」と表示する。中性線１２３と第２の電圧線１２５とが誤結線により逆に接続されている場合には「Ｎ−Ｌ２逆接続」と表示する。第１の電圧線１２１が分電盤１０３で中性極の端子１３３に、中性線１２３が分電盤１０３で第２の電圧極の端子１３７に、第２の電圧線１２５が分電盤１０３で第１の電圧極の端子１２９にそれぞれずれて接続されている場合には、「Ｌ１−Ｎ−Ｌ２誤結線１」と表示する。第１の電圧線１２１が第２の電圧極の端子１２３７に、中性線１２３が第１の電圧極の端子１２９に、第２の電圧線１２５が第１の電圧極の端子１３７にそれぞれずれて接続されている場合には、「Ｌ１−Ｎ−Ｌ２誤結線２」と表示する。
【００６９】
次に、上記の配電線検査システム１０を用いて集合住宅１００の配電線１０９を検査する作業を、図９〜図１６を参照しながら説明する。図９及び図１０は、配電線１０９の検査を行う様子を集合計器盤１０７の電力計１０５と各住戸１０１の分電盤１０３との配線関係において示す概念図である。図１１〜図１６は、配電線１０９の検査を行う様子を電力計１０５と分電盤１０３との結線関係において示す概念図である。
【００７０】
なお、図９及び図１０では、図２と同様に３本の配電線１０９を一本のラインで表し、電圧印加端子４９及び電流センサ４５をそれぞれ省略して１つだけ図示する。そして、表示部６７の表示例として、結線状態が正しい場合の表示を示している。また、図１１〜図１６では、第１の電圧線１２１を実線で示し、中性線１２３を破線で示し、第２の電圧線１２５を二点鎖線で示している。そして、表示部６７の表示例として、１０１号室の住戸１０１の分電盤１０３に設置された抵抗付加器１１が識別された場合の表示を示している。
【００７１】
配電線検査システム１０を用いて集合住宅１００の配電線１０９を検査するには、まず、図９及び図１０に示すように、複数の抵抗付加器１１を個々の住戸１０１の分電盤１０３の一次側にそれぞれ設置する。このとき、図１１〜図１６に示すように、抵抗付加器１１の第１のリードアタッチメント２３の接続端子２１を分電盤１０３の第１の電圧極の端子１２９に接続し、第２のリードアタッチメント２５の接続端子２１を分電盤１０３の中性極の端子１３３に接続し、第３のリードアタッチメント２７を分電盤１０３の第２の電圧極の端子１３７に接続する。
【００７２】
次いで、抵抗付加器１１を設置した分電盤１０３に対応する各電力量計１０５の二次側に測定器１３を順次接続して、電力量計１０５毎に配電線１０９の誤配線及び誤結線を検査する。このとき、各電力量計１０５に対して、測定器１３の第１のリードアタッチメント５１の電圧印加端子４９を電力量計１０５の第１の電圧極の端子１２７に接続し、第２のリードアタッチメント５３の電圧印加端子４９を電力量計１０５の中性極の端子１３１に接続し、第３のリードアタッチメント５５の電圧印加端子４９を電力量計１０５の第２の電圧極の端子１３５に接続する。さらに、一方の電流センサ４５を第１の電圧線１２１に取り付け、他方の電流センサ４５を第２の電圧線１２５に取り付ける。そして、電源スイッチ６９を押下（ＯＮ）して測定器１３の電源を入れた状態で、測定スイッチ７１を押下（ＯＮ）して配電線１０９の誤配線及び誤結線を検査する。
【００７３】
なお、集合住宅１００の住戸数が抵抗付加器１１の個数（この実施形態では２６）を超える場合には、検査済みの住戸１０１の分電盤１０３から抵抗付加器１１を回収した後、未検査である別の住戸１０１の分電盤１０３に抵抗付加器１１を付け替えて、上記の検査作業を繰り返す。
【００７４】
このような配電線１０９の誤配線及び誤結線の検査において、集合住宅１００に敷設された配電線１０９に誤配線がない場合には、いずれの電力量計１０５の二次側に測定器１３を接続した状態での検査でも、表示部６７には、当該配電線１０９が接続されているべき分電盤１０３に関連させて設置した抵抗付加器１１の識別番号が表示される。
【００７５】
しかし、配電線１０９に誤配線がある場合には、当該配電線１０９が接続されているはずの分電盤１０３に関連させて設置した抵抗付加器１１とは別の抵抗付加器１１の識別番号が表示される。
【００７６】
例えば、図９に示すように、配電線１０９の誤配線により、１０１号室の住戸１０１の電力量計１０５が１０２号室の住戸１０１の分電盤１０３に接続され、１０２号室の住戸１０１の電力量計１０５が１０１号室の住戸１０１の分電盤１０３に接続されている場合には、１０１号室の電力量計１０５の二次側に測定器１３を接続して検査を行ったときに、抵抗付加器１１の識別番号として、１０２号室の住戸１０１の分電盤１０３に設置した抵抗付加器１１の識別番号「００２」が表示部６７に表示される。また、１０２号室の住戸１０１の電力量計１０５の二次側に測定器１３を接続して検査を行ったときには、抵抗付加器１１の識別番号として、１０１号室の住戸１０１の分電盤１０３に設置した抵抗付加器１１の識別番号「００１」が表示部６７に表示される。
【００７７】
また、図１０に示すように、配電線１０９の誤配線により、１０２号室の住戸１０１の電力量計１０５が１０３号室の住戸１０１の分電盤１０３に接続され、１０３号室の住戸１０１の電力量計１０５が１０１号室の住戸１０１の分電盤１０３に接続されている場合には、１０２号室の住戸１０１の電力量計１０５の二次側に測定器１３を接続して検査を行ったときに、抵抗付加器１１の識別番号として、１０３号室の住戸１０１の分電盤１０３に設置した抵抗付加器１１の識別番号「００３」が表示部６７に表示される。また、１０３号室の住戸１０１の電力量計１０５の二次側に測定器１３を接続して検査を行ったときには、抵抗付加器１１の識別番号として、１０２号室の住戸１０１の分電盤１０３に設置した抵抗付加器１１の識別番号「００２」が表示部６７に表示される。
【００７８】
上述した配電線１０９の誤配線及び誤結線の検査において、集合住宅１００に敷設された配電線１０９が図１１に示すように正しく結線されており誤結線がない場合には、いずれの電力量計１０５の二次側に測定器１３を接続した状態での検査においても、演算部７３では、Ｌ１−Ｎ間抵抗値として第１の抵抗３７の抵抗値が算出され、Ｎ−Ｌ２間抵抗値として第２の抵抗３９の抵抗値が算出されて、表示部６７には、抵抗付加器１１の識別番号と共に「正常」と表示される。
【００７９】
しかし、配電線１０９に誤結線がある場合には、第１の抵抗３７が付加されているはずの第１の電圧線１２１と中性線１２３との間にＬ１−Ｎ間抵抗値として第１の抵抗３７とは異なる抵抗の抵抗値が測定されたり、第２の抵抗３９が付加されているはずの中性線１２３と第２の電圧線１２５との間にＮ−Ｌ２間抵抗値として第２の抵抗３９とは異なる抵抗の抵抗値が測定されたりする。この場合、それら２つの抵抗値（Ｌ１−Ｎ間抵抗値及びＮ−Ｌ２間抵抗値）に基づいて判定された誤結線のパターンが表示部６７に表示される。
【００８０】
例えば、図１２に示すように、配電線１０９の誤結線により、第１の電圧線１２１が分電盤１０３の中性極の端子１３３に接続され、中性線１２３が分電盤１０３の第１の電圧極の端子１２９に接続されている場合には、Ｌ１−Ｎ間抵抗値として第１の抵抗３７の抵抗値が算出され、Ｎ−Ｌ２間抵抗値として第１の抵抗３７と第２の抵抗３９との直列接続による合成抵抗値が算出される。この場合、表示部６７には、抵抗付加器１１の識別番号と共に「Ｌ１−Ｎ逆接続」と表示される。
【００８１】
また、図１３に示すように、配電線１０９の誤結線により、第１の電圧線１２１が分電盤１０３の第２の電圧極の端子１３７に接続され、第２の電圧線１２５が分電盤１０３の第１の電圧極の端子１２９に接続されている場合には、Ｌ１−Ｎ間抵抗値として第２の抵抗３９の抵抗値が算出され、Ｎ−Ｌ２間抵抗値として第１の抵抗３７の抵抗値が算出される。この場合、表示部６７には、抵抗付加器１１の識別番号と共に「Ｌ１−Ｌ２逆接続」と表示される。
【００８２】
また、図１４に示すように、配電線１０９の誤結線により、中性線１２３が分電盤１０３の第２の電圧極の端子１３７に接続され、第２の電圧線１２５が分電盤１０３の中性極の端子１３３に接続されている場合には、Ｌ１−Ｎ間抵抗値として第１の抵抗３７と第２の抵抗３９との直列接続による合成抵抗値が算出され、Ｎ−Ｌ２間抵抗値として第２の抵抗３９の抵抗値が算出される。この場合、表示部６７には、抵抗付加器１１の識別番号と共に「Ｎ−Ｌ２逆接続」と表示される。
【００８３】
また、図１５に示すように、配電線１０９の誤結線により、第１の電圧線１２１が分電盤１０３の中性極の端子１３３に接続され、中性線１２３が分電盤１０３の第２の電圧極の端子１３７に接続され、第２の電圧線１２５が分電盤１０３の第１の電圧極の端子１２９に接続されている場合には、Ｌ１−Ｎ間抵抗値として第２の抵抗３９の抵抗値が算出され、Ｎ−Ｌ２間抵抗値として第１の抵抗３７と第２の抵抗３９との直列接続による合成抵抗値が算出される。この場合、表示部６７には、抵抗付加器１１の識別番号と共に「Ｌ１−Ｎ−Ｌ２誤結線１」と表示される。
【００８４】
また、図１６に示すように、配電線１０９の誤配線により、第１の電圧線１２１が分電盤１０３の第２の電圧極の端子１３７に接続され、中性線１２３が分電盤１０３の第１の電圧極の端子１２９に接続され、第２の電圧線１２５が分電盤１０３の中性極の端子１３３に接続されている場合には、Ｌ１−Ｎ間抵抗値として第１の抵抗３７と第２の抵抗３９との直列接続による合成抵抗値が算出され、Ｎ−Ｌ２間抵抗値として第１の抵抗３７の抵抗値が算出される。この場合、表示部６７には、抵抗付加器１１の識別番号と共に「Ｌ１−Ｎ−Ｌ２誤結線２」と表示される。
【００８５】
このような配電線検査システム１０を用いた配電線１０９の検査では、作業者は、測定器１３の表示部６７に表示された識別結果に基づき、識別された抵抗付加器１１がいずれの分電盤１０３に関連させて設置されたものであるかを確認することにより、配電線１０９が誤配線されているかどうかをチェックすることができる。また、測定器１３の表示部６７に表示された判定結果を確認することにより、誤結線の有無を確認し、誤結線がある場合には誤結線のパターンまでもチェックすることができる。それにより、一人あるいは少人数の作業者でも配電線１０９の誤配線及び誤結線を併せて効率的に検査することができ、検査で見つかった誤結線や誤配線を、表示部６７に表示された識別結果及び判定結果に基づいて迅速且つ確実に正すことができる。
【００８６】
以上のように、ここに開示する技術の例示として、好ましい実施形態について説明した。しかし、ここに開示する技術は、これに限定されず、適宜、変更、置き換え、付加、省略などを行った実施の形態にも適用可能である。また、添付図面及び詳細な説明に記載された構成要素の中には、課題解決のためには必須でない構成要素も含まれ得る。そのため、それらの必須でない構成要素が添付図面や詳細な説明に記載されていることを以て、直ちにそれらの必須でない構成要素が必須であるとの認定をするべきではない。
【００８７】
例えば、上記実施形態について、以下のような構成としてもよい。
【００８８】
配電線検査システム１０において、測定器１３は、ＳＤカードなどの記録媒体が装着されるカードソケットを備え、そのカードソケットに装着された記録媒体に配電線１０９の検査結果を記録するようになっていてもよい。
【００８９】
例えば、配電線１０９の検査結果としては、住戸１０１毎、つまりは個々の住戸１０１に対応する電力量計１０５毎に、表示部６７での表示内容と各配電線１０９の結線状態とが記録される。配電線１０９の結線状態は、配電線１０９が接続される電圧極の記号とその電圧極の端子への配電線１０９の結線が正しいか誤っているかが「○」、「×」で記録される。すなわち、配電線１０９が正しく結線されている場合には「Ｌ１：○  Ｎ：○  Ｌ２：○」のように記録され、第１の電圧線１２１と中性線１２３とが逆接続されている場合に「Ｌ１：×  Ｎ：×  Ｌ２：○」のように記録される。また、測定器１３は、配電線１０９の誤結線が検査で見つかりその誤結線を正した後に当該配電線１０９の誤結線を再度検査したときにも、表示部６７での表示内容と各配電線１０９の結線状態とを記録するようになっていることが好ましい。さらに、測定器１３は、記録媒体に記録した配電線１０９の検査結果を表示部６７に表示できるようになっていてもよい。
【００９０】
このような構成によると、記録媒体に記録された配電線１０９の検査結果は作業者が表示部６７で纏めて見ることができるので、複数の電力量計１０５に接続された配電線１０９の検査を終えた後にも、誤配線や誤結線のある配電線１０９が接続された住戸１０１（電力量計１０５）を簡単にチェックすることができ、配電線１０９の検査作業をスムーズに行うことが可能になる。また、記録媒体に記録された配電線１０９の検査結果は、検査作業後に作業者でない者も確認することができるため、第三者による検査漏れなどのチェックにも用いることが可能である。
【００９１】
上記実施形態では、配電線検査システム１０で単相三線式の配電線１０９を検査するとしたが、これに限らず、配電線検査システム１０は、三相三線式の配電線を検査するのにも用いることができる。また、配電線検査システム１０は、三相四線式の配電線１０９における誤配線及び誤結線を検査するのに用いられる構成とされていてもよい。
【００９２】
例えば、四線の配電線１０９における誤配線及び誤結線を検査する配電線検査システム１０では、各抵抗付加器１１の抵抗回路２９に互いに異なる配電線１０９の間に付加される第１〜第３の抵抗を含み、電流センサ４５を３つ備え、３つの電流センサ４５により互いに異なる配電線１０９に流れる電流を検出し、各電流センサ４５で検出された電流から異なる配電線１０９の間の抵抗値を算出し、それら３つの抵抗値に基づいて、測定器１３の演算部７３で抵抗付加器１１の識別、配電線１０９の誤結線の有無、誤結線がある場合にそのパターンの判定を行う構成とすることが可能である。
【００９３】
また、上記実施形態では、測定器１３は、各電流センサ４５により検出された電流からＬ１−Ｎ間抵抗値及びＮ−Ｌ２間抵抗値を算出した上で、それらＬ１−Ｎ間抵抗値及びＮ−Ｌ２間抵抗値に基づいて測定器１３が配電線１０９を介して接続された抵抗付加器１１の識別、配電線１０９の誤結線の有無、誤結線がある場合にそのパターンの判定を行うとしたが、これに限らない。測定器１３は、各抵抗付加器１１の第１の抵抗３７及び第２の抵抗３９の抵抗値と、配電線１０９が正しく結線された場合と誤って結線された場合とでＬ１−Ｎ間抵抗値及びＮ−Ｌ２間抵抗値に応じて電流センサ４５により検出される電流の大きさとの対応関係を示すデータが予めメモリ７５に格納され、電流センサ４５により検出された電流の大きさを当該データに照らし合わせることにより、抵抗付加器１１の識別、配電線１０９の誤結線の有無、誤結線がある場合にそのパターンの判定を行うようになっていてもよい。
【００９４】
要は、配電線検査システム１０は、複数の分電盤１０３と分電盤１０３毎に設けられた電力量計１０５とをそれぞれ接続するＮ本（Ｎは３以上の整数）の配電線１０９における誤配線及び誤結線を検査するためのシステムに適用される場合、分電盤１０３の一次側に接続される複数の抵抗付加器１１と、電力量計１０３の二次側に接続される測定器１３とを備え、抵抗付加器１１が、互いに異なる配電線１０９の間に付加される第１〜第（Ｎ−１）の抵抗を有し、第１〜第（Ｎ−１）の抵抗の抵抗値は各抵抗付加器１１で互いに異なり、且つ第１〜第（Ｎ−１）の抵抗における抵抗値の組合せは抵抗付加器１１毎に異なっており、測定器１３は、配電線１０９に所定の電圧を印加する電圧印加端子４９と、電圧印加端子４９による電圧の印加を以て互いに異なる配電線１０９に流れる電流を検出する少なくとも（Ｎ−１）個の電流センサ４５と、電流センサ４５により検出された電流に基づいて接続先の電力量計１０５に配電線１０９を介して接続された抵抗付加器１１を識別すると共に配電線１０９の誤結線の有無及び誤結線のパターンを判定する演算部７３と、演算部７３による識別結果及び判定結果を表示する表示部６７とを有していればよい。
【００９５】
また、上記実施形態では、電流センサ４５としてＣＴセンサを用いるとしたが、これに限らない。ＣＴセンサは、電流センサ４５の一例に過ぎず、配電線１０９に流れる電流を検出可能なセンサであれば、ホール素子型のセンサやその他のタイプのセンサも電流センサ４５として採用することができる。
【００９６】
また、上記実施形態では、測定器１１が第１〜第３のリードアタッチメント５１，５３，５５により第１の電圧線１２３と中性線１２５との間、及び中性線と第２の電圧線１２７との間に、規定電圧として直流電圧をそれぞれ印加するとしたが、これに限らない。第１の電圧線１２３と中性線１２５との間、及び中性線１２５と第２の電圧線１２７との間に印加する規定電圧は、直流電圧であっても交流電圧であってもよいが、配電線１０９などのリアクタンス分の影響を排除する観点から、直流電圧であることが好ましい。
【００９７】
また、上記実施形態では、配電線検査システム１０について２５個の抵抗付加器１１を備えた構成を例に挙げて説明したが、これに限らない。抵抗付加器１１は、２４個以下であってもよいし、抵抗回路２９の第１の抵抗３７と第２の抵抗３９との抵抗値が互いに異なり一意的な組合せを構成し、それら２つの抵抗値を電流センサ４５によって検出可能であれば、２６個以上備えていても構わない。
【００９８】
また、上記実施形態では、配電線１０９の誤結線を、電流センサ４５によって検出された電流の向きと第１の電圧線１２１と中性線１２３との間の抵抗値と中性線１２３と第２の電圧線１２５との間の抵抗値とに基づいて検査するとしたが、これに限らない。配電線１０９の誤結線は、上記２つの抵抗値に加え或いはいずれか一方の抵抗値に代えて第１の圧電線１２１と第２の圧電線１２５との間の抵抗値を用いて検査してもよいし、配電線１０９の間の抵抗値のみに基づいて検査してもよい。
【産業上の利用可能性】
【００９９】
以上説明したように、本開示の技術は、マンションやアパートといった集合住宅やテナントビルなどの複数室を構える建物に敷設された配電線の誤配線及び誤結線を検査するのに用いられる配電線検査システムについて有用である。
【符号の説明】
【０１００】
１０      配電線検査システム
１１      抵抗付加器
１３      測定器
１５，４１      機器本体
１７，４３      リードアタッチメント
１９，４７，５７      ケーブル
２１      接続端子
２３，５１      第１のリードアタッチメント
２５，５３      第２のリードアタッチメント
２７，５５      第３のリードアタッチメント
２９      抵抗回路
３１      第１の配線
３３      第２の配線
３５      第３の配線
３７      第１の抵抗
３９      第２の抵抗
４５      電流センサ
４９      電圧印加端子
５９      センサ本体
６１      回路収納部
６３      蓋部
６５      中空部
６７      表示部
６９      電源スイッチ
７１      測定スイッチ
７３      演算部
７７      電圧供給部
７９      電池
１００    集合住宅
１０１    住戸
１０３    分電盤
１０５    電力量計
１０７    集合計器盤
１０９，１１５    配電線
１１１    配電系統
１１３    引込線
１１５    電力系統
１２１    第１の電圧線
１２３    中性線
１２５    第２の電圧線
１２７，１２９    第１の電圧極の端子
１３１，１３３    中性極の端子
１３５，１３７    第２の電圧極の端子
【図１】
2019120532.tif 000003
【図２】
2019120532.tif 000004
【図３】
2019120532.tif 000005
【図４】
2019120532.tif 000006
【図５】
2019120532.tif 000007
【図６】
2019120532.tif 000008
【図７】
2019120532.tif 000009
【図８】
2019120532.tif 000010
【図９】
2019120532.tif 000011
【図１０】
2019120532.tif 000012
【図１１】
2019120532.tif 000013
【図１２】
2019120532.tif 000014
【図１３】
2019120532.tif 000015
【図１４】
2019120532.tif 000016
【図１５】
2019120532.tif 000017
【図１６】
2019120532.tif 000018